(57)【要約】  本発明では、画像を表示するための画像表示領域を有する表示手段と、画像表示領域の所定領域を可動的に指定するための操作手段と、操作手段により可動的に指定された所定領域に対応する画像に対して、フィルタ処理を施すフィルタ手段と、を有することを特徴とする。  これにより、複雑なフィルタ操作を行うことなく、複数のフィルタ効果を重ねる操作やフィルタ効果の有無や異なるフィルタ効果による画像の比較を容易に行うことができる。
2013175784.tif 000002
【特許請求の範囲】
【請求項１】
画像を表示するための画像表示領域を有する表示手段と、
前記画像表示領域の所定領域を可動的に指定するための操作手段と、
前記操作手段により可動的に指定された前記所定領域に対応する前記画像に対して、フィルタ処理を施すフィルタ手段と、
を有することを特徴とする電子カメラ。
【請求項２】
請求項１に記載の電子カメラにおいて、
前記表示手段は、少なくとも１つの種類の前記フィルタ処理のリストを表示するフィルタリスト表示領域をさらに有する
ことを特徴とする電子カメラ。
【請求項３】
請求項１または２に記載の電子カメラにおいて、
前記操作手段は、前記表示手段の画面上に配置されたタッチパネルで構成され、前記タッチパネルを操作して前記所定領域を指定し、
前記フィルタ手段は、前記タッチパネルの操作により指定された前記所定領域に対応する前記画像に対してフィルタ処理を施す
ことを特徴とする電子カメラ。
【請求項４】
請求項３に記載の電子カメラにおいて、
前記操作手段は、前記フィルタリスト表示領域から前記フィルタ処理の種類を選択した状態で前記画像表示領域にスライドインして境界位置を設定し、前記所定領域を指定する
ことを特徴とする電子カメラ。
【請求項５】
請求項２から４のいずれか一項に記載の電子カメラにおいて、
前記フィルタリスト表示領域は、前記フィルタ処理の消去が選択可能であり、
前記操作手段により、前記フィルタリスト表示領域から前記フィルタ処理の消去が選択された場合、前記所定領域を指定する操作が行われた方向とは異なる方向に操作された場合、の少なくとも一方に該当するとき、前記フィルタ手段は、前記フィルタ処理を施した前記所定領域に対応する前記画像のフィルタ効果を解除する
ことを特徴とする電子カメラ。
【請求項６】
請求項４に記載の電子カメラにおいて、
前記タッチパネルの操作による前記境界位置の設定中に、前記タッチパネルの操作による前記境界位置の設定が解除された場合は、前記境界位置を前記境界位置を指定する操作が行われた方向とは異なる方向に変更し、
前記フィルタ手段は、前記境界位置が変更される方向に前記フィルタ処理を施した領域のフィルタ効果を解除する
ことを特徴とする電子カメラ。
【請求項７】
請求項１から６のいずれか一項に記載の電子カメラにおいて、
前記操作手段により、フィルタ処理が施された前記所定領域に対応する前記画像において、前記所定領域を指定するために操作が行われた方向に対して直交方向に操作が行われた場合、
前記フィルタ手段は、前記直交方向に対して第１の方向に前記操作手段による操作が行われた場合は前記所定領域に対応する前記画像に施されたフィルタ効果を強め、前記直交方向に対して第２の方向に前記操作手段による操作が行われた場合は前記所定領域に対応する前記画像に施されたフィルタ効果を弱めるように前記フィルタ処理を施す
ことを特徴とする電子カメラ。
【請求項８】
請求項２から７のいずれか一項に記載の電子カメラにおいて、
前記画像表示領域の少なくとも第１の辺と第２の辺にそれぞれ前記フィルタリスト表示領域を配置して、前記フィルタリスト表示領域に少なくとも１つの種類の前記フィルタ処理のリストを表示し、
前記操作手段により、前記第１の辺に表示されたフィルタの種類を操作して前記画像表示領域上に可動的に第１の所定領域を指定し、前記第２の辺に表示されたフィルタの種類を操作して前記画像表示領域上に可動的に第２の所定領域を指定し、
前記フィルタ手段は、前記第１の所定領域に対応する前記画像に対して第１のフィルタ処理を施し、前記第２の所定領域に対応する前記画像に対して第２のフィルタ処理を施し、前記第１の所定領域と前記第２の所定領域とが重なる領域に対応する前記画像に対して前記第１のフィルタ処理と前記第２のフィルタ処理とを施す
ことを特徴とする電子カメラ。
【請求項９】
請求項２から８のいずれか一項に記載の電子カメラにおいて、
前記フィルタ手段は、前記操作手段による前記所定領域を指定する操作が繰り返し行われた場合、前記所定領域に対して前記操作が繰り返し行われる毎に選択された種類のフィルタ処理を重ねて施す
ことを特徴とする電子カメラ。
【請求項１０】
請求項８に記載の電子カメラにおいて、
前記フィルタ手段は、前記操作手段により前記画像に対してフィルタ処理が施された前記所定領域とフィルタ処理が施されていない領域との境界線である第１の境界線と前記第１の境界線に対して直交する第２の境界線が設定されると、前記第２の境界線の設定開始位置から前記第２の境界線までの前記所定領域内の領域に対してフィルタ処理を解除する
ことを特徴とする電子カメラ。
【請求項１１】
請求項１から１０のいずれか一項に記載の電子カメラにおいて、
前記画像は、撮影画像又は撮影済画像である
ことを特徴とする電子カメラ。
【請求項１２】
画像を表示するための画像表示領域を有する表示手段と、
前記表示手段に表示された前記画像に対して、フィルタ処理を施すフィルタ手段と、
複数の種類のフィルタ処理を施すフィルタ領域が連結されたフィルタレイヤーを前記画像表示領域上で移動する操作を行う操作手段と
で構成され、
前記フィルタ手段は、前記画像表示領域上で前記操作手段により操作される前記フィルタ領域に対応するフィルタ処理を前記フィルタ領域内の画像に施す
ことを特徴とする電子カメラ。
【請求項１３】
請求項１から１２のいずれか一項に記載の電子カメラにおいて、
撮像処理を行う撮像手段をさらに有し、
前記撮像手段は、前記フィルタ処理が前記画像表示領域の全画面に施された後、撮像処理を行う
ことを特徴とする電子カメラ。
【請求項１４】
請求項３または４に記載の電子カメラにおいて、
撮像処理を行う撮像手段をさらに有し、
前記撮像手段は、予め設定した加速度以上で前記タッチパネルのフリック操作またはドラッグ操作が行われた場合に、前記操作が行われた領域のフィルタ処理が全画面に施された後、撮像処理を行う
ことを特徴とする電子カメラ。
【請求項１５】
請求項１３に記載の電子カメラにおいて、
前記撮像手段は、前記フィルタ手段による前記フィルタ処理が前記画像表示領域の全画面に施された場合でも、前記画像表示領域内の複数の領域に異なるフィルタ処理が施されている場合は、撮像処理を禁止する
ことを特徴とする電子カメラ。
【請求項１６】
請求項１から１２のいずれか一項に記載の電子カメラから撮影機能を除いた画像表示装置において、
撮影画像又は撮影済み画像を入力する画像入力手段をさらに有し、
前記画像入力手段は、内部または外部に接続される記憶媒体に記憶された画像を入力するインターフェース手段または放送や通信を介して画像を入力するインターフェース手段で構成され、
前記インターフェース手段から入力する画像を前記表示手段に表示し、前記操作手段の操作に応じて前記フィルタ手段によりフィルタ処理を施す
ことを特徴とする画像表示装置。
【請求項１７】
画像を表示する表示媒体と、マンマシンインターフェースを提供する操作部材と、を有するコンピュータで実行される画像表示プログラムにおいて、
入力する画像データの画像にフィルタ処理を施すフィルタ処理ステップと、
前記画像を表示するための画像表示領域を有する画面を前記表示媒体に表示する表示処理ステップと、
前記画像表示領域の所定領域を可動的に指定するための前記操作部材による操作情報を取得する操作処理ステップとを有し、
前記フィルタ処理ステップは、前記操作処理ステップにより可動的に指定された前記所定領域に対応する前記画像に対して、フィルタ処理を施す
ことを特徴とするコンピュータで実行可能な画像表示プログラム。
【発明の詳細な説明】
【技術分野】
【０００１】
本発明は、電子カメラ、画像表示装置および画像表示プログラムに関する。
【背景技術】
【０００２】
近年の電子カメラでは、デジタル画像処理によって撮影画像に様々なフィルタ処理を施すことができ、容易に好みの画像に仕上げることができるようになってきた。ところが、一般にモニタに表示されている画像全体に対してフィルタ処理が施されてしまうので、フィルタ効果の有無や異なるフィルタ効果による比較を行うことが難しいという問題があった。また、フィルタ効果の強さを調節する場合でも様々な強さの違いによるフィルタ効果を同じ画面で比較することが難しかった。そこで、複数の特殊効果を１画面内にサムネイル表示して、好みのフィルタ効果を選択し易いようにする技術が考えられている（例えば、特許文献１参照）。また、１画面内を複数の領域に分割し、領域毎に異なる量子化ステップで処理して表示する技術も検討されている（例えば、特許文献２参照）。
【先行技術文献】
【特許文献】
【０００３】
【特許文献１】特開２０１１−１８５９９９号公報
【特許文献２】特開２０１１−０１５０９２号公報
【発明の概要】
【発明が解決しようとする課題】
【０００４】
しかしながら、従来は、使用するフィルタの種類をメニューから選択するなど、複雑な操作を行わなければならず、複数のフィルタ効果を重ねる操作、フィルタ効果の有無や異なるフィルタ効果による画像の比較などを容易に行うことができないという問題があった。【０００５】
上記課題に鑑み、本発明の目的は、画像撮影時または画像編集時にモニタ画面に表示される画像を任意の複数領域に可動的に分割して領域毎に異なる種類のフィルタ処理を施してフィルタ効果を比較する操作を感覚的に分かり易く行うことができる電子カメラ、画像表示装置および画像表示プログラムを提供することである。
【発明の開示】
【課題を解決するための手段】
【０００６】
本発明に係る電子カメラは、画像を表示するための画像表示領域を有する表示手段と、前記画像表示領域の所定領域を可動的に指定するための操作手段と、前記操作手段により可動的に指定された前記所定領域に対応する前記画像に対して、フィルタ処理を施すフィルタ手段と、を有することを特徴とする。【０００７】
本発明に係る画像表示装置は、前記電子カメラから撮影機能を除いた画像表示装置において、撮影画像又は撮影済み画像を入力する画像入力手段をさらに有し、前記画像入力手段は、内部または外部に接続される記憶媒体に記憶された画像を入力するインターフェース手段または放送や通信を介して画像を入力するインターフェース手段で構成され、前記インターフェース手段から入力する画像を前記表示手段に表示し、前記操作手段の操作に応じて前記フィルタ手段によりフィルタ処理を施すことを特徴とする。【０００８】
本発明に係る画像表示プログラムは、画像を表示する表示媒体と、マンマシンインターフェースを提供する操作部材と、を有するコンピュータで実行される画像表示プログラムにおいて、入力する画像データの画像にフィルタ処理を施すフィルタ処理ステップと、前記画像を表示するための画像表示領域を有する画面を前記表示媒体に表示する表示処理ステップと、前記画像表示領域の所定領域を可動的に指定するための前記操作部材による操作情報を取得する操作処理ステップと、前記操作処理ステップにより可動的に指定された前記所定領域に対応する前記画像に対して、フィルタ処理を施すフィルタ処理ステップとを有し、前記フィルタ処理ステップは、前記操作処理ステップにより可動的に指定された前記所定領域に対応する前記画像に対して、フィルタ処理を施すことを特徴とする。
【発明の効果】
【０００９】
本発明に係る電子カメラ、画像表示装置および画像表示プログラムは、画像撮影時または画像編集時に画面に表示される画像を任意の複数の領域に可動的に分割して領域毎に異なる種類のフィルタ処理を施してフィルタ効果を比較する操作を感覚的に分かり易く行うことができる。
【図面の簡単な説明】
【００１０】
【図１】本実施形態に係る電子カメラ１００の外観を示す図である。
【図２】電子カメラ１００の構成例を示す図である。
【図３】フィルタの基本操作例を示す図である。
【図４】フィルタ効果の強弱を調整する操作例を示す図である。
【図５】その他のフィルタ操作例を示す図である。
【図６】フィルタ操作中の撮影操作例を示す図である。
【図７】フィルタの合成操作例を示す図である。
【図８】その他のフィルタ操作例を示す図である。
【図９】フィルタの合成操作例を示す図である。
【図１０】合成操作の応用例を示す図である。
【図１１】フィルタ操作の流れを示すフローチャートである。
【図１２】フィルタ操作の応用例を示す図である。
【発明を実施するための形態】
【００１１】
以下、本発明に係る電子カメラ、画像表示装置および画像表示プログラムの実施形態について図面を用いて詳しく説明する。尚、以下の実施形態では、本発明に係る画像表示プログラムにより動作する画像表示装置の機能を含む電子カメラの例として説明するが、撮影済みの画像を入力して画像表示処理を行うパソコンや携帯端末のプログラムであってもよいし、テレビやデジタルフォトフレーム（電子写真立て）などの単体の画像表示装置であってもよい。
【００１２】
先ず、本実施形態に係る電子カメラ１００の概要について説明する。図１は電子カメラ１００の外観を示す図で、図１（ａ）はカメラボディ部１０１を表示部２０３側から見た図、図１（ｂ）は、カメラボディ部１０１をレンズ部１０２側から見た図である。カメラボディ部１０１には、電源ボタン２０４ａ、レリーズボタン２０４ｂなどの操作ボタンが配置されている。また、表示部２０３はタッチパネル式の液晶モニタで構成され、画面上にタッチパネル２０４ｃが配置されている。
【００１３】
本実施形態に係る電子カメラ１００は、撮影時に被写体を確認するためのスルー画像や記憶媒体などに記憶された撮影済の画像に対して、様々なフィルタ処理を施すことが可能であり、またそのフィルタ処理を施した画像のフィルタ効果を簡単に確認できる機能を有している。ここで、フィルタ効果とは、スルー画像や撮影済みの画像などに対して視覚効果が変わる画像処理であって、具体例としては、ソフトフォーカス、カラーフィルタ、クロスフィルタ、彩度調整、明度調整、モノクロ、セピア調、エッジ強調、ノイズ除去などがある。また、各フィルタにおいても強弱などの調整が可能である。尚、フィルタ処理を施す画像は、静止画像であってもよいし、動画像であってもよい。
【００１４】
そして、本実施形態に係る電子カメラ１００では、例えば図１（ａ）に示したように、フィルタ処理を施す画像を表示する画像表示エリア２１１と、フィルタ処理の種類（ＯＦＦを含む）を選択するためのフィルタリスト表示エリア２１２と、を表示部２０３の画面に表示して、タッチパネル２０４ｃでフィルタの種類を選択して画像表示エリア２１１の画像上にドラッグ操作をするだけの簡単な操作で、表示画像の一部または全部に選択した種類のフィルタ処理を施すことが可能であり、またそのフィルタ処理を施した画像のフィルタ効果を確認することができる。尚、操作方法については後で詳しく説明する。
【００１５】
次に、電子カメラ１００の構成および基本動作について説明する。図２は、電子カメラ１００の構成例を示すブロック図である。尚、図１と同符号のブロックは同じものを示す。図２において、電子カメラ１００は、カメラボディ部１０１と、レンズ部１０２と、を有する。ここで、電子カメラ１００は、レンズ部１０２とカメラボディ部１０１とが一体化されたレンズ一体型カメラでもよいし、レンズ部１０２をカメラボディ部１０１から取り外して交換できるレンズ交換式カメラでもよい。
【００１６】
図２において、電子カメラ１００のカメラボディ部１０１は、撮像部２０１と、カメラ制御部２０２と、表示部２０３と、操作部２０４と、記録部２０５と、を有する。また、電子カメラ１００のレンズ部１０２は、光学系３０１と、レンズ制御部３０２と、を有する。
【００１７】
撮像部２０１は、レンズ部１０２の光学系３０１により結像される被写体像を撮像して画像データに変換し、カメラ制御部２０２に出力する。
【００１８】
カメラ制御部２０２は、電子カメラ１００全体の動作を制御するＣＰＵ（中央演算装置）を有し、ＣＰＵ内部のメモリに予め記憶されたプログラムに従って、撮像部２０１、表示部２０３、操作部２０４、記録部２０５、レンズ部１０２などを制御する。例えば操作部２０４の電源ボタン２０４ａが押下されると電子カメラ１００を起動し、表示部２０３に撮像部２０１からリアルタイムで入力するスルー画像を表示する。そして、レリーズボタン２０４ｂが押下されると撮像部２０１から入力する画像データを記録部２０５に記録する。また、カメラ制御部２０２は、撮影時に、レンズ部１０２のレンズ制御部３０２に光学系３０１の絞り制御やフォーカスレンズの位置制御を指令する。尚、カメラ制御部２０２により実行される処理については後で詳しく説明する。
【００１９】
表示部２０３は、例えば液晶モニタが用いられる。そして、カメラ制御部２０２により、テキストやグラフィックなどのメニュー画面や画像が表示される。本実施形態に係る電子カメラ１００では、図１（ｂ）で説明したように、画像表示エリア２１１にスルー画像や撮影画像などの画像、フィルタリスト表示エリア２１２にフィルタ処理の種類（ＯＦＦを含む）を選択するためのボタンをそれぞれ表示する。
【００２０】
操作部２０４は、例えば電源ボタン２０４ａ、レリーズボタン２０４ｂ、タッチパネル２０４ｃなどの操作部材を有する。また、カーソルボタンや決定ボタンなどのボタンを設けて、タッチパネル２０４ｃの代わりにカーソルボタンや決定ボタンを用いて操作するようにしてもよい。さらに、操作部２０４は、動画像を撮影するための録画ボタン、撮影した動画像を再生するための再生ボタンなどの操作ボタン、撮影モードと再生モードの切り替えなどを行う選択ダイヤルなども備える。
【００２１】
記録部２０５は、例えば不揮発性のメモリカードやハードディスクなどが用いられ、撮影された静止画像や動画像の画像データを記録する。この時、記録部２０５が記録する画像データは、フィルタ処理を施した画像データであってもよいし、フィルタ処理を施さない画像データであってもよい。
【００２２】
光学系３０１は、フォーカスレンズ、ズームレンズ、絞りなどを有し、レンズ制御部３０２により、フォーカスレンズ位置、ズームレンズ位置、絞り値などが制御される。
【００２３】
レンズ制御部３０２は、レンズ部１０２の動作を制御するＣＰＵ（中央演算装置）を有し、ＣＰＵ内部のメモリに予め記憶されたプログラムに従って動作する。例えばカメラ制御部２０２からフォーカスレンズの位置を移動する指令があった場合は、指令された位置にフォーカスレンズを移動する。
【００２４】
このように、本実施形態に係る電子カメラ１００は構成され、撮像部２０１により撮影された画像や記録部２０５に記憶された撮影済の画像を表示部２０３に表示することができる。そして、図１（ａ）で説明したように、表示部２０３に表示された画像に対してフィルタ処理を施すことができる。
【００２５】
次に、カメラ制御部２０２の処理内容について説明する。図１の例では、カメラ制御部２０２は、操作処理部２０２ａと、撮像処理部２０２ｂと、表示処理部２０２ｃと、記録処理部２０２ｄと、フィルタ処理部２０２ｅと、を実行する。
【００２６】
操作処理部２０２ａは、操作部２０４から操作情報を入力し、その操作情報に対応する各処理に引き渡す。例えばレリーズボタン２０４ｂの場合、操作処理部２０２ａは、操作部２０４からレリーズボタン２０４ｂが押下されたという操作情報を入力すると、撮像処理部２０２ｂに出力する。また、タッチパネル２０４ｃの場合、操作処理部２０２ａは、タッチパネル２０４ｃを指などでタッチした座標位置を入力する。そして、表示部２０３の画面の当該座標位置に表示されている情報（図１（ａ）の場合はフィルタの種類を示すボタン）をフィルタ処理部２０２ｅに出力する。
【００２７】
撮像処理部２０２ｂは、例えば操作処理部２０２ａからレリーズボタン２０４ｂが押下されたという操作情報を受け取ると、撮像部２０１で被写体像を撮像する。また、撮像処理部２０２ｂはレンズ制御部３０２と協働して、レンズ部１０２の光学系３０１のフォーカス制御や絞り制御などの処理を行う。
【００２８】
表示処理部２０２ｃは、メニュー画面や画像を表示部２０３に表示する。例えばフィルタ処理部２０２ｅが出力するフィルタの種類を示す情報を表示部２０３の画面のフィルタリスト表示エリア２１２に表示し、画像を画像表示エリア２１１に表示する。
【００２９】
記録処理部２０２ｄは、撮像処理部２０２ｂにより撮影された画像の画像データを記録部２０５のメモリカードなどに保存する処理を行う。
【００３０】
フィルタ処理部２０２ｅは、操作処理部２０２ａから受け取るフィルタの種類の情報と、フィルタ処理を施す領域の情報と、に応じて指定された種類のフィルタ処理を指定された領域に施す。
【００３１】
このように、本実施形態に係る電子カメラ１００は、表示部２０３に表示された画像に対して操作部２０４の簡単な操作で表示部２０３の画面に表示されている画像の任意の領域に対してフィルタ処理を施すことができる。
【００３２】
［フィルタ処理の基本操作］
先ず、表示部２０３に表示されている画像にフィルタ処理を施す基本操作例について説明する。図３は、電子カメラ１００の表示部２０３に表示される画面例を示した図である。尚、図１（ａ）と同符号の部分は同じものを示す。
【００３３】
図３において、表示部２０３のフィルタリスト表示エリア２１２には、フィルタの種類としてフィルタＡ，フィルタＢ，フィルタＣ，フィルタＤおよびフィルタＯＦＦの５つの種類のボタンがグラフィックにより描かれている。そして、指１でフィルタＡのボタンにタッチして、そのままドラッグ操作１５１により画像表示エリア２１１にスライドインし、画面の中央付近まで移動する。この時、指１でタッチしたフィルタの種類を示すボタン表示がドラッグ操作をする方向に引き出され、画像表示エリア２１１に入ると指１でタッチしている画面上の位置に境界線１６１がスライドイン方向と直交する方向に表示される。そして、境界線１６１は、ドラッグ操作をする指１の動きに応じて画像表示エリア２１１を移動し、指１を止めた位置に配置され、指１が画像表示エリア２１１にスライドインした位置から境界線１６１までの間の領域４０２に選択された種類のフィルタ処理（図３の例ではフィルタＡ（Ｆｉｌｔｅｒ  Ａ）の処理）を施す。ここで、指１でドラッグ操作１５１をしていない領域４０１にはフィルタＡの処理が施されず、フィルタなし（Ｆｉｌｔｅｒなし）の状態になる。
【００３４】
このようにして、フィルタ種類の選択と、選択した種類のフィルタ処理を施す領域の設定と、を簡単な操作で行うことができる。特にフィルタ処理を施す領域４０２は、指１のドラッグ操作１５１により境界位置１６１が可動的に設定されるのでフィルタＡの処理を施す領域を自由に変えながらフィルタ処理の有無の効果を同じ画像の１画面内で比較することができる。
【００３５】
ここで、指１によるドラッグ操作１５１をスライドインした方向（紙面右側）にドラッグ操作をしたまま逆戻りした場合は、境界位置１６１も指１の動きに応じて紙面右側に戻り、フィルタなしの領域４０１が紙面右側に広くなり、逆にフィルタＡの処理を施した領域４０２は狭くなる。
【００３６】
尚、指１をタッチパネル２０４ｃから離した場合でも、境界位置１６１がバネにより引き戻されるようにスライドインした方向に戻り、フィルタＡの処理を施した領域４０２が消えて画像表示エリア２１１全面にフィルタなしの画像が表示されるようにしてもよい。
【００３７】
或いは、指１をタッチパネル２０４ｃから離した場合は、当該位置に境界位置１６１を配置した状態にしてもよい。この場合は、指１を再び境界位置１６１の上にタッチしてドラッグ操作を再開することができる。また、フィルタＡの領域４０２上において、指１でスライドインした方向にフリック操作（指で画面にタッチして意図する方向に弾く操作）を行った場合、境界位置１６１をバネのようにスライドインした方向に戻し、フィルタＡの処理を施した領域４０２を消去するようにしてもよい。或いは、指１でフィルタリスト表示エリア２１２のＯＦＦボタンをタッチした場合に、フィルタＡの処理の効果を消去するようにしてもよい。
【００３８】
次に、フィルタ効果の強弱を調整する操作例について説明する。図４は、図３で説明したフィルタＡを施す操作を行った状態でフィルタＡの効果を調整する操作を行う様子を示した図である。尚、指１を離しても境界位置１６１は消去されず、領域４０２はフィルタＡが施された状態が保持されているものとする。
【００３９】
図４の例では、図３でフィルタ処理を施す操作を行ったドラッグ操作１５１の方向（図３の例では左右方向）と直交する方向（図４の例では上下方向）に指２でスライド操作１５２，１５３を行うことにより、フィルタ効果の強弱を調整することができる。例えば図４（ａ）では、領域４０２の画面上で指２により紙面上方向にスライド操作１５２を行うと、フィルタＡの効果が強くなり、図４（ｂ）のように、指２を電子カメラ１００の紙面下方向にスライド操作１５３を行うことにより、フィルタＡの効果が弱くなる。ここで、スライド操作とは、タッチパネル２０４ｃに触れた状態で指を動かす操作である。
【００４０】
このように、本実施形態に係る電子カメラ１００では、フィルタ効果の強弱を簡単な操作で調整することができる。
【００４１】
尚、上記の説明では、フィルタリスト表示エリア２１２にフィルタの種類を選択するためのボタンを表示してフィルタのＯＦＦを含む二種類のフィルタ効果を比較する例について説明したが、上記のようにフィルタの種類を１つ１つ引き出すような操作方法ではなく、図５に示すように、３５ｍｍフィルムのようにフィルタ処理を施す領域を１つのコマとして、複数のコマが連続して繋がった異なる種類のフィルタレイヤーを左右にスクロールして表示部２０３の画像表示エリア２１１にあるコマの位置に応じてフィルタ処理を施し、隣接するコマの境界位置でフィルタ効果を比較できるようにしてもよい。この場合は、図１などに示したフィルタリスト表示エリア２１２は不要であり、表示部２０３の画面の任意の位置でフィルタの境界位置１６２を止めることによって、境界位置１６２の左右にＯＦＦを含む異なるフィルタの種類を施した画像が表示されるので、フィルタレイヤーのコマが隣接する２種類のフィルタ効果を比較することができる。尚、フィルタの種類の順番は、メニュー画面などで任意に設定できるようにしてもよい。
【００４２】
次に、本実施形態に係る電子カメラ１００において、フィルタ処理を行った画像を撮影する操作例について説明する。図６は、図３で説明したフィルタＡを施す操作を行った状態で電子カメラ１００の操作部２０４のレリーズボタン２０４ｂを押下せずに撮影操作を行う様子を示した図である。尚、図３において、指１を離しても境界位置１６１は消去されず、領域４０２はフィルタＡが施された状態が保持されているものとする。
【００４３】
図６（ａ）において、領域４０２の画面上で指３によりフィルタＡを施した領域４０２を左方向に予め設定された加速度以上でフリック操作１５４を行うと、図６（ｂ）のように境界位置１６１が左側にスライドアウトするように移動してフィルタＡを施す領域４０２が画像表示エリア２１１全体に広がり、全面にフィルタＡが施された時点でレリーズボタン２０４ｂが押下された場合と同様に撮影処理が行われる。
【００４４】
尚、上記の説明では、フリック操作１５４を行うようにしたが、左方向へのドラッグ操作を予め設定した加速度以上で行った場合に画像を撮影するようにしてもよい。
【００４５】
このように、本実施形態に係る電子カメラ１００では、フィルタ効果の比較操作を行っている途中で撮影する場合に、レリーズボタン２０４ｂを押下せずに撮影を行うことができる。特に上記のようなタッチパネル２０４ｃでフィルタ操作を行う場合は、レリーズボタン２０４ｂが押しづらいので、タッチパネル２０４ｃ上でのレリーズ操作を可能とすることで、電子カメラ１００を持ち直す必要がなくなり、手振れ防止や迅速な撮影が可能になる。
【００４６】
尚、上記の説明では、他の操作による誤動作がないように、予め設定された加速度以上でフリック操作やドラッグ操作が行われた場合に撮影操作であると判断するようにしたが、他の複雑な操作を行わない場合は、通常のフリック操作やドラッグ操作などでフィルタ処理が全画面に施された時点で自動的に撮影するようにしてもよい。
【００４７】
また、フィルタ処理を全面に施した時点で撮影を行うのではなく、フリック操作が行われた時点で複数のフィルタ処理が施された状態の画像を撮影するようにしてもよい。或いは、操作部２０４のレリーズボタン２０４ｂが押下された場合だけ、複数のフィルタ処理が施された画像を撮影するようにしてもよい。
【００４８】
［フィルタ処理の応用操作例］
上記の実施形態では、フィルタリスト表示エリア２１２を表示部２０３の右側に配置して画像表示エリア２１１の右辺側から左辺側にスライドインするようにしたが、フィルタリストは横方向でも縦方向でもよく、また画像表示エリア２１１の４辺のどこにあってもよく、１辺だけでなく２辺以上にあってもよい。例えば図７では、フィルタリスト表示エリア２１２と同じフィルタの種類のボタンを表示するフィルタリスト表示エリア２１３を画像表示エリア２１１の上辺側にも配置されている。
【００４９】
図７（ａ）は、先に説明したように、右側のフィルタリスト表示エリア２１２で第１のフィルタの種類（同図ではフィルタＡ）を選択して画像表示エリア２１１にドラッグ操作をしたまま左方向にスライドインして境界位置１６３を配置し、スライドインした位置から境界位置１６３までの間の領域４０４にフィルタＡの処理を施す様子を示している（第１の操作）。この時、境界位置１６３より左側の領域４０３にはフィルタが施されていない。この状態で、図７（ｂ）に示すように、上側のフィルタリスト表示エリア２１３で第２のフィルタの種類（同図ではフィルタＣ）を選択して画像表示エリア２１１にドラッグ操作をしたまま下方向にスライドインして境界位置１６４を配置する（第２の操作）。
【００５０】
ここで、もし図７（ａ）の第１の操作が行われていない状態（全面にフィルタ処理が施されていない状態）であれば、フィルタリスト表示エリア２１３で選択した種類のフィルタＣが画像表示エリア２１１にスライドインした上辺から境界位置１６４までの領域にフィルタＣの処理が施されるが、第１の操作が行われた後で第２の操作が行われているので、第１の操作と第２の操作で重複する領域は２つの種類のフィルタ処理が施される。例えば図７（ｂ）に示すように、第１の操作によるフィルタＡの処理だけが行われた領域４０４と、第２の操作によるフィルタＣの処理だけが行われた領域４０５と、第１の操作によるフィルタＡの処理と第２の操作によるフィルタＣの処理との両方の処理が行われた領域４０６と、いずれのフィルタ処理も施されていない領域４０３の４つの領域がマトリックス形式で表示される。
【００５１】
このように、本実施形態に係る電子カメラ１００では、複数の種類のフィルタを合成した場合のフィルタ効果と、合成しない場合のフィルタ効果とをマトリックス形式で比較することができる。例えば図７（ｂ）では、画像表示エリア２１１の上側および右側の２辺にフィルタリストを配置し、右側からフィルタＡ、上側からフィルタＣをそれぞれ画像表示エリア２１１にスライドインさせることで、フィルタなし、フィルタＡのみ、フィルタＣのみ、フィルタＡとフィルタＣの合成、の４種類のフィルタ効果を比較することができる。
【００５２】
尚、図６で説明したように、図７（ｂ）において、フィルタＡが途中状態でも、フィルタＣの操作にてある加速度以上のフリック操作が実施された場合は、フィルタＣが全面適用された時点で自動的に撮影されるようにしてもよい。
【００５３】
また、図７（ｃ）に示したように、操作対象切替ボタン５０１（操作対象の切り替えやレイヤーの上下入れ替えを行うためのボタン）を設けて、フィルタＡとフィルタＣとが重なっている領域４０６でフィルタ操作（強弱の調整や撮影操作など）を行う場合に、フィルタＡを上位のレイヤーにするか、フィルタＣを上位のレイヤーにするかを切り替えるようにしてもよい。これにより、フィルタＡが下レイヤー、フィルタＣが上レイヤー（後から入れた方が上）とした場合、フィルタＡの上にフィルタＣが重なっている部分は、フィルタＡを操作できないという問題がなくなる。或いは、操作対象切替ボタン５０１を設けずに、フィルタリスト表示エリア２１２またはフィルタリスト表示エリア２１３のフィルタの種類をタッチすることにより、当該フィルタが施された領域を上位のレイヤーに切り替えるようにしてもよい。
【００５４】
さらに、図７（ｂ）の例では、上側のフィルタリスト表示エリア２１３でフィルタの種類を選択して画像表示エリア２１１にスライドインして配置される境界位置１６４を画像表示エリア２１１の左右全体に配置するようにしたが、図８（ａ）に示すように、フィルタＡが施された領域４０４上にスライドインした場合は領域４０４だけに境界位置１６５を配置して、領域４０７にフィルタＡとフィルタＢの処理を合成して施すようにしてもよい。
【００５５】
また、図７の例では、画像表示エリア２１１の右辺と上辺とにフィルタリスト表示エリア２１２とフィルタリスト表示エリア２１３とを配置したが、図８（ｂ）に示すように、画像表示エリア２１１の右辺と左辺とにフィルタリスト表示エリア２１２とフィルタリスト表示エリア２１４とを配置してもよい。この場合は、指１でフィルタリスト表示エリア２１２からフィルタＡを選択して画像表示エリア２１１にスライドインした境界位置１６６までの領域４１０にフィルタＡの処理を施し、指２でフィルタリスト表示エリア２１４からフィルタＢを選択して画像表示エリア２１１にスライドインした境界位置１６７までの領域４１１にフィルタＢの処理を施し、境界位置１６６と境界位置１６７との間の領域４１２はフィルタ無しの状態になる。
【００５６】
尚、図８（ｂ）において、指１により設定される境界位置１６６と指２により設定される境界位置１６７とが交差する場合は、図８（ｃ）に示すように、境界位置１６６と境界位置１６７とで囲まれる領域４１４はフィルタＡとフィルタＢの両方の処理が施されて合成される。
【００５７】
ここで、図７の例では、画像表示エリア２１１の二辺にフィルタリスト表示エリア２１２とフィルタリスト表示エリア２１３とを配置して、マトリックス形式で複数の種類のフィルタ処理を合成したが、右側のフィルタリスト表示エリア２１２だけで複数の種類のフィルタ処理を合成する操作を行ってもよい。例えば図９（ａ）に示したように、先ず、画像表示エリア２１１全体（図３のように一部でもよい）の領域４０７にフィルタＡの処理を施し、再び、フィルタリスト表示エリア２１２からフィルタＡを選択してドラッグ操作をしたまま画像表示エリア２１１にスライドインして境界位置１６８を配置する（図９（ｂ））。この場合、スライドインした位置から境界位置１６８までの領域４０８は、フィルタＡの処理が２回行われ、フィルタＡの効果が倍増する。尚、図９（ｂ）の例では、フィルタＡの処理を２回行うようにしたが、図１０（ａ）に示すように、２回目にフィルタＢを選択すれば、領域４０９にはフィルタＡとフィルタＢの２種類のフィルタの合成結果が表示される。
【００５８】
このように、フィルタＡを全面適用後、同じフィルタＡを重ねるようにスライドインすることで、フィルタＡを１回施した時の効果とフィルタＡを２回施した時の効果とを並べて比較することができる。また、フィルタＡを全面適用後、異なるフィルタＢを重ねるようにスライドインすることで、フィルタＡとフィルタＢとを合成した時の効果とフィルタＡの効果とを並べて比較することができる。
【００５９】
ここで、図１０（ａ）において、フィルタＡとフィルタＢの２種類のフィルタが合成された領域４０９から、先に施したフィルタＡの処理を消去して後で施したフィルタＢの効果だけを確認したい場合の操作例について図１０（ｂ）を用いて説明する。先ず、フィルタＢの境界位置１６８を配置する操作を行った指１を保持したまま指２で領域４０９の下辺側からスライドインしてページをめくるように上方向にドラッグ操作をすると、指２が移動する領域４０９の左右に境界位置１６９が表示される。そして、指２で領域４０９にスライドインした位置から境界位置１６９までの領域４１０のフィルタＡの処理が消去されてフィルタＢの処理だけが施された状態になる。尚、指２で領域４０９の下側からスライドインするようにしたが、上側からスライドインするようにしてもよい。
【００６０】
このように、フィルタＡを全面適用後、フィルタＢをスライドインしたままで、他の指によりフィルタＡとフィルタＢとが合成処理された領域の下端から上方向にめくり上げるようにドラッグ操作を行うと、その部分だけフィルタＢのみとなり、フィルタＡの効果と、フィルタＢの効果と、フィルタＡとフィルタＢを合成した時の効果との３つを同一画面で比較することができる。尚、指１でフィルタＢを操作したまま上下方向にスライドさせる操作を行った場合は、フィルタＢの強弱を調整するようにしてもよい。
【００６１】
尚、フィルタＡを全面適用後にフィルタＢを重ねる例について説明したが、フィルタＡを全面に適用後に、フィルタＢを重ねずに、同操作を行うようにしてもよい。それにより、画像の上部をフィルタＡの効果の施した画像と、画像の下部をフィルタなしとした画像との２つの画像を同一画面に表示して、比較することができる。また、フィルタＡを全面に適用する前に同操作を行うことで、たとえば画像の右上の領域のみにフィルタＡの効果を施すようにしてもよい。
【００６２】
［フィルタ操作のフローチャート］
次に、上記で説明したフィルタ操作のフローチャートについて図１１を用いて説明する。尚、図１１のフローチャートが行う処理は、カメラ制御部２０２に予め記憶されたプログラムにより実行される。尚、初期状態ではフィルタ処理なしの状態にあるものとし、境界位置などは設定されていないものとする。また、フィルタ処理のモードが起動され、表示部２０３の画面には、例えば図３で説明したように、画像表示エリア２１１と、フィルタリスト表示エリア２１２とが表示されている。
【００６３】
（ステップＳ１０１）カメラ制御部２０２は、撮像部２０１で撮影した画像（スルー画像）を取得する。スルー画像は、逐次新たな画像を撮像部２０１から取得して更新される。
【００６４】
（ステップＳ１０２）カメラ制御部２０２は、フィルタ処理を施す領域または既に施した領域があるか否か、換言するとフィルタ処理を適用した部分があるか否かを確認する。例えば境界位置が画像表示エリア２１１内に設定されている場合は適用部分有りとしてステップＳ１０３に進み、境界位置が画像表示エリア２１１内に設定されていない場合は適用部分無しとしてステップＳ１０４に進む。
【００６５】
（ステップＳ１０３）カメラ制御部２０２は、フィルタ適用部分に指定された種類のフィルタ処理を施す。例えば図３の場合は、領域４０２にフィルタＡの処理を施す。
【００６６】
（ステップＳ１０４）カメラ制御部２０２は、表示部２０３の画像表示エリア２１１に画像を表示する。尚、フィルタ操作が行われていない場合は、撮像部２０１で撮像されるスルー画像をそのまま表示し、フィルタ操作が行われている場合は、フィルタ処理された画像が表示される。
【００６７】
（ステップＳ１０５）カメラ制御部２０２は、フィルタ操作の操作状況を操作部２０４から取得する。例えばフィルタリスト表示エリア２１２のフィルタの種類がタッチされた状態、画像表示エリア２１１にスライドインされてドラッグ操作されている状態、フリック操作の有無やフリック操作の加速度、ドラッグ操作の操作方向などの操作状況を取得する。
【００６８】
（ステップＳ１０６）カメラ制御部２０２は、操作箇所を判別する。ここでは、フィルタ関連の操作であるか、操作部２０４のレリーズボタン２０４ｂの操作であるかの判別を行う。そして、レリーズボタン２０４ｂが押下された場合はステップＳ１０７に進み、フィルタ関連の操作が行われた場合はステップＳ１０８に進み、いずれの操作も行われていない場合はステップＳ１０１に戻る。尚、フィルタ関連の操作とは、例えば図３の場合、フィルタリスト表示エリア２１２のフィルタの種類を示すボタンにタッチする操作、フィルタの種類を選択してそのままドラッグ操作する操作、フィルタ処理中のフリック操作やドラッグ操作などである。
【００６９】
（ステップＳ１０７）カメラ制御部２０２は、撮像部２０１で撮影した画像を記録部２０５に保存する処理を行う。この時、カメラ制御部２０２は、スルー画像に対してフィルタ処理を施した場合、ステップＳ１０２およびステップＳ１０３でスルー画像に施したフィルタ処理と同じ効果のフィルタ処理を撮影した画像に施して記録部２０５に保存する。
【００７０】
（ステップＳ１０８）カメラ制御部２０２は、新規のフィルタ操作（または操作フィルタの切り替え）であるか、選択中のフィルタに関する操作であるかを判別する。そして、新規のフィルタ操作である場合はステップＳ１０９に進み、選択中のフィルタに関する操作である場合はステップＳ１１０に進む。
【００７１】
（ステップＳ１０９）カメラ制御部２０２は、新規のフィルタ（または切り替えられたフィルタ）の処理モードを開始し、ステップＳ１０１に戻る。
【００７２】
（ステップＳ１１０）カメラ制御部２０２は、フィルタ操作の方向を判別する。ここでは、フィルタの種類を選択して画像表示エリア２１１にスライドインする方向（引出方向）と同じ方向であるか、引出方向と直交する方向の操作であるかを判別し、引出方向の操作である場合はステップＳ１１３に進み、引出方向に直交する方向の操作である場合はステップＳ１１１に進む。
【００７３】
（ステップＳ１１１）カメラ制御部２０２は、引出方向に直交する方向の操作がフィルタ処理を施された領域４０２上で行われているか否かを確認する。例えば図４の場合、フィルタＡの引出方向と直交する方向にフィルタＡの処理が施されている領域４０２でスライド操作が行われている場合は適用部分有りとしてステップＳ１１２に進み、直交方向にスライド操作が行われていてもフィルタ処理が施されていない領域４０１である場合は適用部分無しとしてステップＳ１０１に戻る。
【００７４】
（ステップＳ１１２）カメラ制御部２０２は、引出方向と直交する方向の操作に応じてフィルタの強弱を調整する。例えば図４（ａ）の場合はフィルタＡの効果を強くし、図４（ｂ）の場合はフィルタＡの効果を弱くする。
【００７５】
（ステップＳ１１３）カメラ制御部２０２は、引出方向と同じ方向に行われるフリック操作やドラッグ操作の加速度を判別する。そして、加速度が予め設定された規定値未満の場合はステップＳ１１４に進み、規定値以上の場合はステップＳ１１５に進む。尚、加速度は、例えばタッチパネル２０４ｃの座標位置を移動する速度の変化として求めることができる。
【００７６】
（ステップＳ１１４）カメラ制御部２０２は、ドラッグ操作に従ってフィルタ処理を行う領域の境界位置の変更を行い、ステップＳ１０１に戻る。
【００７７】
（ステップＳ１１５）カメラ制御部２０２は、処理中のフィルタ処理を画像表示エリア２１１に表示されている画像全面に施して、ステップＳ１０７に進む。この時、境界位置をアニメーション動作で移動しながら徐々に全面に広がってフィルタ処理が施されるように処理してもよい。
【００７８】
動画像を撮影する場合は、ステップＳ１０７の撮影・記録のステップを、動画像の撮影が終了したか否か、または動画像の撮影がまだ開始されていないかを判定するステップに変更する。動画像の撮影が終了した場合は、動画像に対してフィルタ処理を施して、本フローを終了する。動画像の撮影が継続される場合、または動画像の撮影が開始されていない場合は、ステップＳ１０１に戻る。
【００７９】
静止画を撮影する場合は、ステップＳ１０６にてレリーズボタン２０４ｂが押下された場合にステップＳ１０７に進んだが、動画像を撮影する場合は、ステップＳ１０６にて録画ボタンが押下された場合にステップＳ１０７に進む。録画ボタンが押下されると動画像の撮影が開始する。動画像の撮影中に再度録画ボタンが押下されると、動画像の撮影を終了する。
【００８０】
画像編集時においても、同様の操作を可能とする。画像編集時には、選択ダイヤルの操作によって再生モードが設定され、記録部２０５から静止画像または動画像を読み出すことで、ステップＳ１０１の画像取得とする。
【００８１】
ステップＳ１０６にてレリーズボタン２０４ｂが押下された場合にステップＳ１０７に進んだが、静止画像に対して画像編集をする場合には、決定ボタンが押下された場合にステップＳ１０７に進む。ステップＳ１０７にて静止画像に対してフィルタ処理を施し、記録部２０５に保存する。保存する画像は、フィルタ処理を施した静止画像のみを保存するようにしてもよいし、フィルタ処理を施した静止画像とフィルタ処理を施す前の元の静止画像（元画像）との２つの静止画像を保存するようにしてもよい。
【００８２】
動画像の画像編集時には、ステップＳ１０６にてレリーズボタン２０４ｂが押下された場合にステップＳ１０７に進んだが、動画像に対して画像編集する場合には、再生ボタンが押下された場合にステップＳ１０７に進む。再生ボタンが押下されると動画像が再生される。ステップＳ１０７にて、動画像の再生が終了したか否かを判定する。動画像の再生の終了は、動画像の再生中に再生ボタンが再度押下されたか、動画像を終りまで再生したかのいずれかで判定する。動画像の再生が終了した場合は、本フローを終了し、動画像の再生が終了していない場合は、ステップＳ１０１に戻り、動画像の再生中にフィルタ処理を施すことができる。
【００８３】
このようにして、本実施形態に係る電子カメラ１００は、画像撮影時または画像編集時に表示部２０３の画面に表示される画像を任意の複数の領域に可動的に分割し、領域毎に異なる種類のフィルタ処理を施してフィルタ効果を比較する操作を感覚的に分かり易く行うことができる。
【００８４】
［被写体認識技術の適用例］
上記の各実施形態では、ユーザーの操作により、境界位置を表示部２０３の画面の各辺に平行な直線で配置するようにしたが、顔認識技術などで被写体を認識し、被写体の特徴となる部分（顔部分、身体全体など）にフィルタ境界位置を自動配置する。例えば認識した顔の中心位置の周辺に円形状に境界位置を自動的に配置して、円形領域内にぼかし処理などを施すことができる。或いは、逆に境界領域外のみにフィルタ処理（例えば色彩強調処理）を適用することにより、例えば顔の色調を変えずに服の色彩を鮮やかにするなどのフィルタ効果を施すことができる。
【００８５】
被写体認識技術を利用した具体的な操作例として、フィルタリスト表示エリア２１２からフィルタの種類を指でフリックするだけで、リスト位置から被写体認識位置の中央まで円形などの境界位置を自動的に移動して停止し、境界内の画像領域（例えば顔部分）に選択された種類のフィルタ処理を施す。さらに、認識位置（顔部分）を予め設定された大きさになるまで自動的に拡大して、比較し易くしてもよい。
【００８６】
このように、本実施形態に係る電子カメラ１００は、周知の被写体認識技術と組み合わせて簡単な操作でフィルタ効果を確認することができる。
【００８７】
［境界位置の応用例］
先に説明した各実施形態において、配置する境界線の方向は矩形状のモニタ画面に対して、左右方向（水平方向）または上下方向（垂直方向）のいずれかに設定する例について説明したが、フィルタ境界は回転可能としてもよい。例えば図１２（ａ）に示すように、二本の指（指１、指２）を回転したい境界線１７０上に置いて感覚的に時計回りに回転させる操作を行うことによって、図１２（ｂ）に示すように、境界線１７０を任意の位置まで回転できるようにしてもよい。或いは、図１２（ｃ）に示すように、画像は固定したまま画面上のフィルタ領域全体をそのまま回転させてもよい。このようにして、複数の斜め方向に配置した境界線で形成される領域毎に異なる種類のフィルタ処理を施して、ステンドグラス風の写真を作れるようにしてもよい。
【００８８】
尚、本実施形態では、境界線を直線とした例について説明したが、境界線を曲線や自由曲線としてもよい。この場合の具体的な操作例として、タッチパネル上を指で操作し、曲線や自由曲線の境界線を決定する。そして、フィルタリスト表示エリア２１２からフィルタの種類を指でフリック操作をするだけで、リスト位置から境界位置を境界線まで自動的に移動して停止し、選択された種類のフィルタ処理を施す。さらに、フィルタ効果を施した画像表示エリア２１１に対して、フィルタ効果が徐々に強くなったり、弱くなったりするような効果が段階的に変化するようにしてもよい。
【００８９】
［操作インターフェースの応用例］
尚、本実施形態では、操作部２０４の操作インターフェースとしてタッチパネルを用いる例について説明したが、マウスやジョイスティックなどのコントローラや上下左右のカーソルボタンなどによって操作できるようにしてもよい。この場合は、指の代わりにカーソル（矢印）を画面に表示し、カーソルボタンでカーソルをフィルタリスト表示エリア２１２の選択したいフィルタの種類ボタン上に移動してマウスの左クリックでフィルタの種類を選択し、そのままカーソルをドラッグ操作して、先の実施形態で説明したように、フィルタ処理を施したい領域の境界位置を設定することができる。
【００９０】
尚、本実施形態では、表示部２０３に画像表示エリア２１１とフィルタ表示エリア２１２をそれぞれ表示する例として説明したが、画像表示エリア２１１のみを表示するようにしてもよい。この場合、メニュー画面よりフィルタの種類を予め選択し、表示部２０３の画像表示エリア２１１においてフィルタ効果を施したい辺からドラッグ操作を行うようにし、境界位置を設定するようにしてもよい。または、境界位置を予め設定し、その後、メニュー画面よりフィルタの種類を選択するようにしてもよい。
【００９１】
［電子カメラ１００以外の適用例］
先に説明した各実施形態では、電子カメラ１００で撮影時に表示部２０３に表示されるスルー画像にフィルタ処理を施してフィルタ効果を確認できるようにしたが、記録部２０５のメモリカードなどに記憶された撮影済の画像を再生時の編集操作として、表示部２０３に表示される再生画像にフィルタ処理を施してフィルタ効果を確認できるようにしてもよい。
【００９２】
また、電子カメラ１００ではなく、メモリやハードディスクなどの記録媒体に記憶された画像をタッチパネルの操作インターフェースを有するモニタに表示するデジタルフォトフレームなどの専用の画像表示装置であってもよいし、テレビであってもよい。
【００９３】
或いは、タッチパネルやマウスなどの操作インターフェースを有するパソコンに先に説明した画面操作処理やフィルタ処理などを行うアプリケーションソフトウェアをインストールして、メモリやハードディスクなどの記録媒体に記憶された画像やインターネットなどからダウンロードする画像などに対してフィルタ効果の比較をできるようにしてもよい。
【００９４】
以上、本実施形態に係る電子カメラ１００のフィルタ操作について様々な例を挙げて説明したように、フィルタ操作自体を感覚的に簡単に行うことができ、表示部２０３に表示された画像上の任意の位置で比較することができる。
【００９５】
また、同じ種類のフィルタ処理を含む複数のフィルタ処理を重ねて行った場合のフィルタ効果を簡単な操作で確認することができる。
【００９６】
さらに、フィルタ操作後やフィルタ操作中に、電子カメラ１００を持ち直さずに簡単に撮影操作を行うことができる。この時、フィルタ処理を全面に施した時点で撮影を行ってもよいし、部分的に異なるフィルタ処理を施した状態のまま撮影を行うようにしてもよい。
【００９７】
このように、本発明に係る電子カメラ、画像表示装置および画像表示プログラムは、画像撮影時または画像編集時に画面に表示される画像を任意の複数の領域に可動的に分割して領域毎に異なる種類のフィルタ処理を施してフィルタ効果を比較する操作を感覚的に分かり易く行うことができる。
【００９８】
以上、本発明に係る電子カメラ、画像表示装置および画像表示プログラムについて、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図１】
2013175784.tif 000003
【図２】
2013175784.tif 000004
【図３】
2013175784.tif 000005
【図４】
2013175784.tif 000006
【図５】
2013175784.tif 000007
【図６】
2013175784.tif 000008
【図７】
2013175784.tif 000009
【図８】
2013175784.tif 000010
【図９】
2013175784.tif 000011
【図１０】
2013175784.tif 000012
【図１１】
2013175784.tif 000013
【図１２】
2013175784.tif 000014
【国際調査報告】
2013175784.tif 000015
2013175784.tif 000016